(57)【要約】【課題】本考案は、特定の運動選手を対象とした減圧訓練施設のみならず、一般ユーザーも日常的に使用できる低圧室に、核分裂反応時に発生する大量の中性子から生命を守るための中性子遮蔽機能を備えた核シェルター付低圧室に関するものである。【解決手段】低圧室筐体の周囲を外套で被い、前記外套に水を充満して核分裂反応で発生する中性子を遮蔽し、前記外套に充満してある水を、有事の時に非常用飲料水又は生活用水として使用できるよう、水濾過及び給水機能を備え、前記低圧室の外気吸入口に高性能フィルターを接続して死の灰等の汚染物質を濾過する核シェルター機能付低圧室によって解決した。【選択図】図４
0003123687.tif 000002
【実用新案登録請求の範囲】
【請求項１】
低圧室筐体の周囲を外套で被い、前記外套に水を充満して核分裂反応で発生する中性子を遮蔽することを特徴とする核シェルター機能付き低圧室。
【請求項２】
低圧室筐体周囲の外套に充満してある水を、有事の時に非常用飲料水又は生活用水として使用できるよう、水濾過及び給水機能を備えることを特徴とする請求項１記載の核シェルター機能付き低圧室。
【請求項３】
低圧室の外気吸入口に高性能フィルターを接続して死の灰等の汚染物質を濾過することを特徴とする請求項１及び２記載の核シェルター機能付き低圧室。
【考案の詳細な説明】
【技術分野】
【０００１】２０世紀は物質文明が大いに発達した世紀であったが、一方では近代兵器殊には核兵器出現による大量殺戮と、その後の核拡散による人類存亡に関わる脅威の世紀でもあった。２１世紀に入っても核拡散の脅威は止まることを知らず、いまやテロリスト達が核兵器を手にしようとすらしている。本考案は、斯かる脅威に対して生命を守るための核シェルターに関するものである。
【背景技術】
【０００２】
【特許文献１】  特公平２−４２９９２号公報
【特許文献２】  特開平８−１１２３７３号公報
【特許文献３】  特開平１１−３３６３７３号公報
【特許文献４】  特許２９１９１１１号公報
【特許文献５】  特開２０００−５４６６６号公報
【非特許文献１】  実開平２−１１８５７１号公報
【考案の開示】
【考案が解決しようとする課題】
【０００３】本考案は、特定の運動選手を対象とした減圧訓練施設のみならず、一般ユーザーも日常的に使用できる低圧室に、核分裂反応時に発生する大量の中性子から生命を守るための中性子遮蔽機能を備えた核シェルター付低圧室に関するものである。
【課題を解決するための手段】
【０００４】本考案は、請求項１の考案においては、低圧室筐体の周囲を外套で被い、前記外套に水を充満して核分裂反応で発生する中性子を遮蔽する核シェルター機能付低圧室であることを特徴とする。【０００５】請求項２の考案においては、低圧室筐体周囲の外套に充満してある水を、有事の時に非常用飲料水又は生活用水として使用できるよう、水濾過及び給水機能を備える請求項１記載の核シェルター機能付低圧室であることを特徴とする。【０００６】請求項３の考案においては、低圧室の外気吸入口に高性能フィルターを接続して死の灰等の汚染物質を濾過する請求項１及び２記載の核シェルター機能付低圧室であることを特徴とする。
【考案の効果】
【０００７】従来、低圧室は高地の気圧環境を平地で実現する目的にのみ使用されていたが、本考案では、低圧室筐体の周囲を外套で被い、前記外套に水を充満して核分裂反応で発生する中性子を遮蔽し、前記外套に充満してある水を、非常用飲料水又は生活用水として使用できるよう水濾過及び給水機能を備え、前記低圧室の外気吸入口に高性能フィルターを接続して死の灰等の汚染物質を濾過する機能を備えているので、日常は前記低圧室を低圧室本来の使用目的に使用しつつ、核戦争勃発並びに核攻撃情報による避難命令が発せられたときは、該低圧室に退避することによって核分裂反応による中性子被爆を回避でき、その後の死の灰降下等による汚染空気は高性能フィルターで濾過でき、外套に充満してある水を濾過して飲料水並びに生活用水に使用できるため、長期間にわたって尊い生命を維持することが可能である。
【考案を実施するための最良の形態】
【０００８】考案を実施するための最良の形態について説明する。図１に本考案を適用した核シェルター機能付低圧室の立面断面図を、図２に本考案を適用した核シェルター機能付低圧室の左側面図を、図３に本考案を適用した核シェルター機能付低圧室の右側面図を、図４に本考案を適用した核シェルター機能付低圧室の平面図を、図５に本考案を適用した核シェルター機能付低圧室の右立面断面図を、図６に本考案を適用した核シェルター機能付低圧室の配管系統図を、それぞれ示す。
【実施例】
【０００９】本考案の核シェルター機能付低圧室の実施例では、低圧に耐え得る強度を有する筐体（２）と、前記筐体（２）の周囲を被う外套（３）で主要構造を為し、前記筐体（２）の両端には外套付エンドプレート（４ａ）、（４ｂ）が気密緊結される。前記外套付エンドプレート（４ａ）、（４ｂ）にはエンドプレート開口部（５ａ）、（５ｂ）がそれぞれ設けられ、前記エンドプレート開口部（５ａ）、（５ｂ）には外套付気密扉（６ａ）、（６ｂ）が気密並びに開閉自在に設けられ、前記外套付エンドプレート（４ａ）、（４ｂ）と前記外套付気密扉（６ａ）、（６ｂ）とは前記外套付気密扉（６ａ）、（６ｂ）の周囲にパッキン（図示せず）を配して前記外套付エンドプレート（４ａ）（４ｂ）に密着させることによって気密構造を為す。【００１０】次に中性子遮蔽手段について説明する。前記低圧室筐体（２）の周囲を被う外套（３）と、前記外套付エンドプレート（４ａ）、（４ｂ）の外套と、前記外套付気密扉（６ａ）、（６ｂ）の外套には予め飲料水（図示せず）を充満し、水の持つ中性子遮蔽機能によって前記低圧室入室者は核分裂時に発生する中性子被爆を回避することができる。【００１１】上述の核分裂反応後には、インフラが破壊されライフラインの確保も覚束ない状況になることが容易に推測できるが、この時、前記低圧室（１）筐体（２）の周囲を被う外套（３）、外套付エンドプレート（４ａ）、（４ｂ）の外套並びに外套付気密扉（６ａ）、（６ｂ）の外套に充満してある水を飲料水並びに生活用水として利用できるよう、これらの外套は非常用電源設備（４３）並びに吐出口に水濾過装置（４５）を備えた給水ポンプ（４４）とそれぞれ配管（４６）接続してある。【００１２】また、核分裂反応後は、死の灰降下等による空気汚染を容易に推測できるが、前記低圧室（１）筐体（２）に設けられた外気吸入口（１９）乃至（２３）には高性能の活性炭フィルター（３０）及びＨＥＰＡフィルター（３１）が接続してあるので、空気中の汚染物質を完全に濾過することができ、前記低圧室滞在者は空気の上からも安全を確保できる。
【産業上の利用可能性】
【００１３】産業上の利用可能性としては、一般家庭はもとより学校、スポーツジム、ホテル、温泉、ゴルフ場レストハウス、病院、整骨院、老人ホーム、プロスポーツ選手、低圧室サービスショップ等々、幅広い利用が期待される。但し、これはあくまでも生命維持の極限対策であり、このような装置が機能する必要のない恒久的平和が訪れるよう、共に精一杯努力しなければならない
【図面の簡単な説明】
【００１４】
【図１】は本考案を適用した核シェルター機能付低圧室の立面断面図である。
【図２】は本考案を適用した核シェルター機能付低圧室の左側面図である。
【図３】は本考案を適用した核シェルター機能付低圧室の右側面図である。
【図４】は本考案を適用した核シェルター機能付低圧室の平面図である。
【図５】は本考案を適用した核シェルター機能付低圧室の右立面断面図である。
【図６】は本考案を適用した核シェルター機能付低圧室の配管系統図である。
【符号の説明】
【００１５】１  低圧室                              ２  筐体
３  外套                                ４ａ  外套付エンドプレート
４ｂ  外套付エンドプレート              ５ａ  エンドプレート開口部
５ｂ  エンドプレート開口部              ６ａ  外套付気密扉
６ｂ  外套付気密扉                      ７ａ  気密扉開口部
７ｂ  気密扉開口部                      ８ａ  ガラス窓
８ｂ  ガラス窓                          ９ａ  額縁
９ｂ  額縁                              １０  床板
１１  床板支持材                        １２  支持板
１３  ベース                            １４ａ  階段
１４ｂ  階段                            １５  減圧ポンプ
１６  減圧ポンプ吸気口                  １７  減圧ポンプ排気口
１８  低圧室排気口                      １９  外気吸入口
２０  外気吸入口                        ２１  外気吸入口
２２  外気吸入口                        ２３  外気吸入口
２４  外気調節弁                        ２５  圧力制御装置
２６  圧力制御弁                        ２７  過減圧防止弁
２８  室内非常弁                        ２９  室外非常弁
３０  活性炭フィルター                  ３１  ＨＥＰＡフィルター
３２  ノズル                            ３３  ノズル
３４  ノズル                            ３５  ノズル
３６  ノズル                            ３７  フード
３８  予備フィルター                    ３９  空調室外機
４０  空調機                            ４１  空調配管
４２  ドレイン管                        ４３  非常用電源設備
４４  給水ポンプ                        ４５  水濾過装置
４６  配管
【図１】
0003123687.tif 000003
【図２】
0003123687.tif 000004
【図３】
0003123687.tif 000005
【図４】
0003123687.tif 000006
【図５】
0003123687.tif 000007
【図６】
0003123687.tif 000008